(57)【要約】【課題】  凸部３を有する基板１を用いて多層型の光記録媒体を製造する際に、従来のセンターピンをそのまま用いつつ、樹脂スタンパ６の基板１上への載置及び位置調整を正確に行なうことを可能にする。【解決手段】  基板１上に第１の記録再生機能層４を形成し、記録再生機能層４上に紫外線硬化性樹脂の膜５を設け、基板１のセンターホール２の直径と略同一の直径のセンターホール７を有し、且つ、基板側表面の凸部３に対応する半径位置に、凸部３の高さ以上の深さを有し且つ凸部３の幅よりも広い幅を有する凹部８が設けられた、環形状の樹脂スタンパ６を、紫外線硬化性樹脂の膜５の上に載置して紫外線硬化性樹脂の膜５を硬化させるとともに、前記載置時に、基板１のセンターホール２、樹脂スタンパ６のセンターホール７、基板１の凸部３、及び、樹脂スタンパ６の凹部８によって、基板１と樹脂スタンパ８との位置調整を行なう。【選択図】  図１
2007042212.tif 000002
【特許請求の範囲】
【請求項１】
センターホールを有し、且つ、表面に凸部が形成された環形状の基板上に、光により記録又は再生が可能な第１の記録再生機能層を形成し、
該記録再生機能層上に、紫外線硬化性樹脂の膜を設け、
該基板のセンターホールの直径と略同一の直径のセンターホールを有し、且つ、該基板側表面の該凸部に対応する半径位置に、該凸部の高さ以上の深さを有し且つ該凸部の幅よりも広い幅を有する凹部が設けられた、環形状の樹脂スタンパを、該紫外線硬化性樹脂の膜の上に載置して該紫外線硬化性樹脂の膜を硬化させるとともに、
前記載置時に、該基板のセンターホール、該樹脂スタンパのセンターホール、該基板の凸部、及び、該樹脂スタンパの凹部によって、該基板と該樹脂スタンパとの位置調整を行なう
ことを特徴とする、光記録媒体の製造方法。
【請求項２】
前記樹脂スタンパの厚みが２ｍｍ以下である
ことを特徴とする、請求項１記載の光記録媒体の製造方法。
【請求項３】
前記凸部が、環形状の凸部として前記基板上に形成されており、前記凹部が、環形状の凹部として前記樹脂スタンパ上に形成されている
ことを特徴とする、請求項１又は請求項２に記載の光記録媒体の製造方法。
【請求項４】
前記基板及び前記樹脂スタンパのそれぞれのセンターホールに、該センターホールの直径と略同一の直径を有するセンターピンを貫通させて、前記位置調整を行なう
ことを特徴とする、請求項１〜３の何れか一項に記載の光記録媒体の製造方法。
【請求項５】
前記樹脂スタンパを前記紫外線硬化性樹脂の膜から剥離した後、該紫外線硬化性樹脂の膜の上に第２の記録再生機能層を設ける
ことを特徴とする、請求項１〜４の何れか一項に記載の光記録媒体の製造方法。
【請求項６】
｛（前記樹脂スタンパの前記凹部の深さ）／（前記基板の前記凸部の高さ）｝の値が、１．３以下である
ことを特徴とする、請求項１〜５の何れか一項に記載の光記録媒体の製造方法。
【請求項７】
｛（前記樹脂スタンパの前記凹部の幅）／（前記基板の前記凸部の幅）｝の値が、１．５以下である
ことを特徴とする、請求項１〜６の何れか一項に記載の光記録媒体の製造方法。
【請求項８】
前記凹部の最深部における前記樹脂スタンパの厚みが０．３５ｍｍ以上であり、
前記樹脂スタンパの該凹部の幅と前記基板の前記凸部の幅との差が２００μｍ以下であり、
該凸部の内径と該凹部の内径との差が１００μｍ以下である
ことを特徴とする、請求項１〜７の何れか一項に記載の光記録媒体の製造方法。
【発明の詳細な説明】
【技術分野】
【０００１】
本発明は、光記録媒体の製造方法に関する。詳しくは、複数の記録再生機能層が設けられた、ブルーレイディスク等の光記録媒体を製造する方法に関する。
【背景技術】
【０００２】
近年、光記録媒体（以下「光ディスク」という場合がある。）の更なる高記録密度化が要求されている。そこで、基板上に設けられた反射層の上、又は、反射層及び記録層の上に、０．１ｍｍの厚さを有する保護層を備えた、次世代の高密度光ディスクが提案されている。この高密度光ディスクでは、青紫色のレーザ光を高いＮＡ（開口数、例えば０．８５）を有する対物レンズにより集光し、この集光したレーザ光を上記保護層側から照射することにより、情報信号の記録及び／又は再生が行なわれる（このような光ディスクは、膜面入射型の光ディスクと呼ばれている）。
【０００３】
この光ディスクの容量を更に大きくするための手段として、上記記録層を２層以上設ける方法がある。
【０００４】
このような技術を紹介する文献として、特許文献１がある。具体的には、まず、基板上に第１情報記録層を形成する。一方、第２情報記録層を転写するための微小凹凸（転写用第２情報記録層）を有する光透過性の樹脂スタンパを別途作製し、紫外線硬化性の第１光透過層を介して両者を接着する。その後、樹脂スタンパを取り去り、第１光透過層上に転写・形成された第２情報記録層の上面に第２光透過層を形成する。この製造方法で得られる光記録媒体に対しては、レーザー光を第２光透過層側から照射し、第１、第２情報記録層に対する情報信号の記録及び／又は再生を行なう。
【０００５】
ところで、膜面入射型の光ディスクにおいては、保護層に傷が付きやすいことが指摘されている。そして、保護層の傷によってサーボが容易に外れてしまう旨が指摘されている（特許文献２）。この文献では、薄い保護層に傷が生じないようにするために、厚さ１０〜２００μｍの透明保護層を有する円盤状の光情報記録媒体において、中心孔に近い部分に突起部（高さ０．１〜０．５ｍｍ）を設けるという対策を採っている。同文献によると、このような突起部があるために、透明保護層を下にして平面に置いても透明保護層が平面から離れるため、透明保護層が傷つくことがないとのことである。また、同文献によれば、中心孔に近い部分に突起部があるため、突起部の重量アンバランスによる回転スピンドル（モータ）への負荷を低減できるとのことである。
【０００６】
【特許文献１】特開２００３−６７９９０号公報（特に［要約］参照）
【特許文献２】特開２００４−２９６０６４号公報（特に段落［０００８］、［００１２］、［００３８］及び［００４２］参照）
【発明の開示】
【発明が解決しようとする課題】
【０００７】
しかしながら、上記突起部を有する基板を用いて、上記の記録層が２層以上設けられる光記録媒体（以下、「多層型光記録媒体」という場合がある。）を製造する場合、以下に説明する課題が発生する。
【０００８】
図５は、従来技術に係る多層型光記録媒体の製造方法を説明するための図である。具体的に、図５は、センターホール２００及び突起部３００が形成された環状の基板１００上に記録再生機能層４００及び紫外線硬化性樹脂の膜５００を積層し、その上に、センターホール７００を有する樹脂スタンパ６００を載置しようとした状態を模式的に示す部分断面図である。なお、ＣＰは、基板１００及び樹脂スタンパ６００の位置合わせ用のセンターピンを示している。図５から明らかなように、第２の記録再生機能層の溝ピットを紫外線硬化樹脂の膜５００の上に転写成型する工程において、樹脂スタンパ６００を紫外線硬化樹脂の膜５００上に載置しようとすると、基板１００上に設けられた上記突起部３００が障害になる。この結果、樹脂スタンパ６００を紫外線硬化性樹脂の膜５００の上に正確に載置することが困難となり、或いは載置ができなくなってしまう。
【０００９】
これに対して、図６に示すように、樹脂スタンパ６００’のセンターホール７００’の直径を、基板１００上に形成されている突起部３００の外径に合わせることにより、基板１００上の突起部３００を回避して、上記課題を解決するとともに、突起部の側壁を位置決めの基準に利用するという方法も考えられる。ここで図６は、別の従来技術に係る多層型光記録媒体の製造方法を説明するための図であり、図５と同一の構成要素については同一の符号を付して表わしている。図６から明らかなように、この様な樹脂スタンパ６００’を用いれば、紫外線硬化性樹脂の膜５００の上へ樹脂スタンパ６００’を載置するに際して突起部３００が障害となることがない上に、突起部３００の外周が樹脂スタンパ６００’の位置決めの基準となるという利点が発現することがわかる。
【００１０】
しかしながら、樹脂スタンパ６００’を図６に示すような形状とすると、極めて精密かつ複雑な形状のセンターピンＣＰ’を用いる必要が生じる。つまり、直径の異なる基板１００と樹脂スタンパ６００’とのそれぞれのセンターホール２００，７００’を共に貫通し、且つ、基板１００と樹脂スタンパ６００’の双方に予め形成された溝ピットのトラックの偏心を小さく抑えることが可能なセンターピンＣＰ’が必要となる。このような特殊な形状のセンターピンＣＰ’を用いると、通常の基板（突起部を有さない基板）を用いて多層型光記録媒体（例えば、通常の片面２層型の光ディスク）を製造する場合に用いる通常のセンターピン（例えば図５に示す、基板及び樹脂スタンパのそれぞれのセンターホールの直径と略同一の直径を有するセンターピンＣＰ）との互換性が取れなくなる。そして、突起部を有する基板を用いた多層型光記録媒体の生産と、突起部がない基板を用いた多層型光記録媒体の生産とを切り替える際に、センターピンの交換作業が必要となる。
【００１１】
以上の背景から、突起部を有する基板を用いる光ディスクの生産においても、従来から用いられているセンターピン（基板及び樹脂スタンパのそれぞれのセンターホールの直径と略同一の直径を有するセンターピン）をそのまま利用して、樹脂スタンパの載置及び位置調整を正確に行なうことができる技術の開発が望まれる。
【００１２】
本発明は、上記課題に鑑みてなされたものである。即ち、本発明の目的は、凸部を有する基板を用いて多層型光記録媒体を製造する際に、従来のセンターピンをそのまま用いつつ、樹脂スタンパの基板上への載置及び位置調整を正確に行なうことが可能な、光記録媒体の製造方法を提供することである。
【課題を解決するための手段】
【００１３】
本発明者は、上記実情に鑑み鋭意検討した結果、基板のセンターホールの直径と略同一の直径のセンターホールを有する樹脂スタンパに、基板上の凸部に対応する凹部を設け、且つ、該凹部の形状を特定の範囲内に制御することにより、従来のセンターピンをそのまま用いつつ、樹脂スタンパの基板上への載置及び位置調整を正確に行なうことが可能になるのを見出して、本発明に到達した。
【００１４】
即ち、本発明の要旨は、センターホールを有し、且つ、表面に凸部が形成された環形状の基板上に、光により記録又は再生が可能な第１の記録再生機能層を形成し、該記録再生機能層上に、紫外線硬化性樹脂の膜を設け、該基板のセンターホールの直径と略同一の直径のセンターホールを有し、且つ、該基板側表面の該凸部に対応する半径位置に、該凸部の高さ以上の深さを有し且つ該凸部の幅よりも広い幅を有する凹部が設けられた、環形状の樹脂スタンパを、該紫外線硬化性樹脂の膜の上に載置して該紫外線硬化性樹脂の膜を硬化させるとともに、前記載置時に、該基板のセンターホール、該樹脂スタンパのセンターホール、該基板の凸部、及び、該樹脂スタンパの凹部によって、該基板と該樹脂スタンパとの位置調整を行なうことを特徴とする、光記録媒体の製造方法に存する（請求項１）。
【００１５】
ここで、前記樹脂スタンパの厚みが２ｍｍ以下であることが好ましい（請求項２）。
【００１６】
また、前記凸部が、環形状の凸部として前記基板上に形成されており、前記凹部が、環形状の凹部として前記樹脂スタンパ上に形成されていることが好ましい（請求項３）。
【００１７】
また、前記基板及び前記樹脂スタンパのそれぞれのセンターホールに、該センターホールの直径と略同一の直径を有するセンターピンを貫通させて、前記位置調整を行なうことが好ましい（請求項４）。
【００１８】
また、前記樹脂スタンパを前記紫外線硬化性樹脂の膜から剥離した後、該紫外線硬化性樹脂の膜の上に第２の記録再生機能層を設けることが好ましい（請求項５）。
【００１９】
また、｛（前記樹脂スタンパの前記凹部の深さ）／（前記基板の前記凸部の高さ）｝の値が、１．３以下であることが好ましい（請求項６）。
【００２０】
また、｛（前記樹脂スタンパの前記凹部の幅）／（前記基板の前記凸部の幅）｝の値が、１．５以下であることが好ましい（請求項７）。
【００２１】
また、前記凹部の最深部における前記樹脂スタンパの厚みが０．３５ｍｍ以上であり、前記樹脂スタンパの該凹部の幅と前記基板の前記凸部の幅との差が２００μｍ以下であり、該凸部の内径と該凹部の内径との差が１００μｍ以下であることが好ましい（請求項８）。
【００２２】
なお、本発明において、「環形状」とは、円形、楕円形状、多角形（好ましくは六角形以上）、正多角形（好ましくは正六角形以上）等の環を形成した形状をいう。
【００２３】
また、「略同一」とは、完全に同一となる場合のみならず、工業生産を考慮して設ける微少な差や工業生産上不可避的に生じる誤差等が存在していてもよいことを意味する。
【００２４】
また、「突起部」とは、基板上に一周分設けられた凸部をいう。即ち、本発明において「凸部」とは、後述するように、基板上の一部にのみ設けられたものでもよいし、基板上に一周分設けられたもの（即ち「突起部」）であってもよい。
【発明の効果】
【００２５】
本発明の光記録媒体の製造方法によれば、従来のセンターピンをそのまま用いつつ、樹脂スタンパの基板上への載置及び位置調整を正確に行なうことが可能になる。
【発明を実施するための最良の形態】
【００２６】
以下、本発明を詳細に説明するが、本発明は以下の説明に限定されるものではなく、その要旨の範囲内において種々に変更して実施することができる。
【００２７】
［Ｉ．基本概念］
本発明の光記録媒体の製造方法は、センターホールを有し、且つ、表面に凸部が形成された環形状の基板上に、光により記録又は再生が可能な第１の記録再生機能層を形成し、該記録再生機能層上に、紫外線硬化性樹脂の膜を設け、該基板のセンターホールの直径と略同一の直径のセンターホールを有し、且つ、該基板側表面の該凸部に対応する半径位置に、該凸部の高さ以上の深さを有し且つ該凸部の幅よりも広い幅を有する凹部が設けられた、環形状の樹脂スタンパを、該紫外線硬化性樹脂の膜の上に載置して該紫外線硬化性樹脂の膜を硬化させるとともに、前記載置時に、該基板のセンターホール、該樹脂スタンパのセンターホール、該基板の凸部、及び、該樹脂スタンパの凹部によって、該基板と該樹脂スタンパとの位置調整を行なうことを特徴とするものである。
【００２８】
本発明者は、先に説明した課題を解決するべく鋭意検討した結果、以下の結論に達した。即ち、上述のような凸部を有する基板を用いて多層型の光ディスクを製造する際に、従来から用いられているセンターピンをそのまま利用できるようにするためは、基板のセンターホールの直径と略同一の直径のセンターホールを有し、且つ、基板上の上記凸部に対応する凹部を有するような樹脂スタンパを得るようにすればよい。
【００２９】
しかし、本発明者の検討によれば、上記の凹部を有する樹脂スタンパを開発することは容易ではないことが分かった。なぜなら、通常、樹脂スタンパも基板も環形状の樹脂（通常は円盤状の部材）であるために、反りが存在する。上記反りは、樹脂スタンパの厚みが薄くなると顕著になる。つまり、通常、樹脂スタンパは、紫外線硬化性樹脂を硬化させるために紫外線を透過させる必要があるので、樹脂スタンパの厚さは、通常２ｍｍ以下とする。このような非常に薄い樹脂スタンパに凹部を形成すると、凹部に対応する部分の樹脂スタンパの厚さは更に薄くなるため、この凹部における機械的な強度は弱くなる。従って、樹脂スタンパを紫外線硬化性樹脂の膜の上に載置し、樹脂スタンパの凹部と基板の凸部とを嵌合させた場合等に、樹脂スタンパが反りやすくなる。その結果、紫外線硬化性樹脂の膜に形成される溝形状の精密な制御が困難となる。
【００３０】
記録層を２層以上有する膜面入射型の光記録媒体においては、溝や溝間の位置ずれをより小さく制御することが望まれる。このため、樹脂スタンパの凹部の形状制御が重要となる。
【００３１】
本発明者は、上記実情に鑑み、基板のセンターホールの直径と略同一の直径のセンターホールを有し、且つ、基板上の凸部に対応する凹部を有する環形状の樹脂スタンパの実用化を図るべく、鋭意検討を行なった。その結果、上記樹脂スタンパを用いた場合においても、基板の凸部の形状と樹脂スタンパの凹部の形状とをある形状範囲内に制御することによって、溝ピットやトラックの偏心を良好に抑制することができることを見出した。
【００３２】
つまり、基板のセンターホール、樹脂スタンパのセンターホール、樹脂スタンパの凹部、及び基板の凸部によって基板と樹脂スタンパとの位置調整を行なうことができる結果、基板と樹脂スタンパとの位置制御をより精密に行なうことができることが分かった。この結果、凸部を有しない基板と凹部を有しない樹脂スタンパとを用いて光記録媒体（片面２層の光ディスク）を製造する場合と比較して、溝ピットやトラックの偏心をより良好に制御できることが分かった。
【００３３】
ここで、溝ピットやトラックの偏心は、できる限り小さくすることが好ましい。偏心は、光ディスクが記録再生装置内で回転する際に、溝ピットトラックの中心（理想的な中心）と、実際の回転中心とが一致しないことによって発生する。そして、溝ピットトラックの中心と実際の回転中心との距離が大きくなると、偏心が大きくなる。このような場合においては、光ディスクの記録再生中に記録再生用ヘッドが半径方向に大きく振られることになるため、トラッキングが不安定になりやすい。従って、溝ピットやトラックの偏心はできる限り小さくすることが望ましい。
【００３４】
特に、記録層を２層以上有する光記録媒体においては、全ての記録層の溝ピットやトラックの偏心がそれぞれ小さいことが望ましい。各記録層における偏心は、具体的には数十μｍ以内であることが望ましい。
【００３５】
本発明者等の検討によれば、光ディスクの基板の外周端を保持する方法等では、各記録層において上記の偏心精度を出すことは非常に困難であることが分かった。そして、本発明の構成によれば、基板のセンターホール、樹脂スタンパのセンターホール、樹脂スタンパの凹部、及び基板の凸部によって基板と樹脂スタンパとの位置調整を行なうことにより、記録層を２層以上有する光記録媒体におけるそれぞれの記録層の溝ピットやトラックの偏心を小さくできることを見いだした。また、センターピンを複雑な形状のものに改造することなく、従来から用いられているものをそのまま利用できることになった。
【００３６】
［II．実施形態］
図１（ａ）〜（ｃ）は何れも、本発明の一実施の形態に係る光記録媒体の製造方法の概要を説明するための図である。具体的に、図１（ａ）は、センターホール２及び凸部３が形成された環状の基板１上に記録再生機能層（第１の記録再生機能層）４及び紫外線硬化性樹脂の膜５を積層し、その上に、センターホール７及び凹部８を有する樹脂スタンパ６を載置しようとした状態を模式的に示す部分断面図であり、図１（ｂ）は、樹脂スタンパ６を載置した状態で紫外線硬化性樹脂の膜５を硬化させて得られた中間層９の上に記録再生機能層（第２の記録再生機能層）１０を設けた状態を模式的に示す部分断面図であり、図１（ｃ）は、記録再生機能層（第２の記録再生機能層）１０上にカバー層１１を設けた状態を模式的に示す部分断面図である。なお、各図面において共通の構成要素については同一の符号を用いて表わしている。
以下、図１（ａ）〜（ｃ）に沿って説明する。
【００３７】
〔１．基板〕
本実施形態においては、図１（ａ）に示すように、センターホール２を有し、且つ、表面に凸部３が形成された、環形状の基板１を用いる。
【００３８】
基板１の材料としては、適度な加工性と剛性を有するプラスチック、金属、ガラス等を用いることができる。従来の基板入射型の構成と異なり、透明性や複屈折に対する制限はない。また、その表面に案内溝を形成する必要があるが、金属やガラスを材料として用いる場合には、その表面に光硬化性や熱硬化性の薄い樹脂層を設け、そこに溝を形成する必要がある。この点、プラスチック材料を用い、射出成型によって、基板１の形状（特に円盤状）と表面の案内溝を一挙に形成することが、製造上は好ましい。
【００３９】
射出成型できるプラスチック材料としては、従来ＣＤやＤＶＤで用いられているポリカーボネート樹脂、ポリオレフィン樹脂、アクリル樹脂、エポキシ樹脂等を用いることができる。基板１の厚みとしては０．５〜１．２ｍｍ程度とするのが好ましい。
【００４０】
基板１には、トラッキング用の案内溝が形成されている。高密度化を達成するために、トラックピッチは、通常０．１〜０．６μｍとする。溝深さは、通常１５〜１００ｎｍの範囲とする。
【００４１】
基板１は環形状を有する。環形状は特に制限されず、円盤形状、楕円形状、多角形等、様々な形状を考えることができる。但し、基板１は通常、円盤形状とする。この場合、基板１の直径を１２０ｍｍ程度とするのが通常である。
【００４２】
基板１の表面には、凸部が設けられている。凸部の形状は特に制限されず、各種の形状とすることが可能である。図２（ａ）〜（ｃ）は何れも、基板１の表面に設けられる凸部の形状の具体例を模式的に示す上方斜視図である。具体的に、図２（ａ）は、環形状の凸部（突起部）３がセンターホール２の周囲に連続的に形成されている例であり、図２（ｂ），（ｃ）は、センターホール２の周囲の複数個所（図では４箇所）に部分的に、それぞれ形状の異なる凸部３’，３”が形成されている例である。中でも、基板成形の容易性や、樹脂スタンパと基板との位置合わせの精度向上の観点から、凸部は、図２（ａ）に示されるように、環形状の凸部（突起部）３として基板１上に形成されることが好ましい。なお、以下の記載では特に断りの無い限り、凸部は符号３で示し、環形状の凸部（突起部）であるものとして説明する。
【００４３】
ここで、凸部３の高さは、通常１００μｍ以上とする。この範囲とすれば、光記録媒体を重ねてストックした場合において、隣り合う光記録媒体同士が接触したとしても、光記録媒体同士の吸着が抑制されやすくなる。
【００４４】
一方、凸部３の高さは、通常５００μｍ（０．５ｍｍ）以下、好ましくは４００μｍ以下、より好ましくは３００μｍ以下、更に好ましくは２００μｍ以下とする。この範囲とすれば、射出成形で基板を形成する場合においても、基板の形成が行ないやすくなる。また、基板の反りは３００μｍ位になる場合もあり得る。このような場合においても、凸部の高さを上記範囲に設定すれば、光記録媒体を重ねてストックしても、隣り合う光記録媒体同士の接触を避けることができ、又は、隣り合う光記録媒体同士の接触が起きても、光記録媒体同士の吸着が抑制されやすくなる。
【００４５】
凸部の幅は、通常１ｍｍ以上、好ましくは２ｍｍ以上、より好ましくは３ｍｍ以上とする。この範囲とすれば、基板同士の接触が防止されやすくなる。一方、凸部の幅は、通常１０ｍｍ以下、好ましくは６ｍｍ以下、より好ましくは４ｍｍ以下、特に好ましくは３．５ｍｍ以下とする。この範囲とすれば、光記録媒体を回転駆動させる際にセンターホール付近でクランプ（ｃｌａｍｐ）するために、内周クランピング領域を基板上に設ける場合において、この内周クランピング領域の内側に凸部を収めることができる。
【００４６】
基板１上に凸部３を設ける位置は、通常、センターホールの外径よりも外側でかつ光記録媒体の情報記録領域（データが記録される領域）の内径よりも内側となる。
【００４７】
基板１が円盤形状である場合には、凸部３は、通常、基板１上の直径１８〜２１ｍｍの位置に設けられる。また、基板１の内径（センターホール２の外径）から外径までの長さに対して基板１の内径（センターホール２の外径）から凸部３の内径までの長さは、通常０．５％以上、好ましくは０．８％以上とする。一方、上記長さは、通常５％以下、好ましくは２．５％以下とする。
【００４８】
なお、基板１には、上記凸部３とは別に、通常、記録トラッキングに用いられる同心円状又はスパイラル状の溝を設ける。このような溝が設けられるトラックピッチは、光記録媒体の記録再生に用いるレーザー光の波長によって異なる。例えば、青色レーザー用の光記録媒体では、トラックピッチは通常０．２〜０．５μｍである。一方、溝の深さも光記録媒体の記録再生に用いるレーザー光の波長によって異なる。例えば、青色レーザー用の光記録媒体では、溝深さは通常１０〜２００ｎｍである。
【００４９】
〔２．記録再生機能層〕
まず、図１（ａ）に示すように、上述の基板１上に、光により記録又は再生が可能な第１の記録再生機能層４を形成する。
【００５０】
記録再生機能層４は、情報信号を記録再生可能又は再生可能な機能を発揮されるように構成された層であり、単層であってもよく、複数の層からなってもよい。記録再生機能層４は、光学記録媒体が、再生専用の媒体（ＲＯＭ媒体）である場合と、一度の記録のみ可能な追記型の媒体（Ｗｒｉｔｅ Ｏｎｃｅ媒体）である場合と、記録消去を繰り返し行なえる書き換え可能型の媒体（Ｒｅｗｒｉｔａｂｌｅ媒体）である場合とによって、それぞれの目的に応じた層構成を採用することができる。以下、それぞれの媒体における層構成の一例について説明する。
【００５１】
（再生専用媒体の例）
再生専用の媒体においては、記録再生機能層４は、通常、Ａｌ、Ａｇ、Ａｕ等の金属を含有する単層で構成され、例えば、記録再生機能層４は、スパッタ法によりＡｌ、Ａｇ、Ａｕ反射層を基板上に成膜することによって形成される。
【００５２】
（追記型の媒体の例１）
追記型の媒体で膜面入射型の媒体においては、記録再生機能層は、通常、基板上に設けた、反射層及び記録層を指す。更に、記録層上に無機材料（例えば、ＺｎＳ／ＳｉＯ2）で形成されるバッファー層を設けてもよい。この場合、反射層、記録層、及びバッファー層が記録再生機能層となる。
【００５３】
反射層の材料としては、通常、Ａｌ、Ａｇ、Ａｕ等の金属又は合金が用いられる。反射層の形成方法は、再生専用の媒体と同様とすればよい。また、無機材料で形成されるバッファー層は、通常、スパッタリング法により形成される。
【００５４】
上記追記型の媒体における記録層の材料としては、通常、有機色素が用いられる。このような有機色素としては、大環状アザアヌレン系色素（フタロシアニン色素、ナフタロシアニン色素、ポルフィリン色素など）、ポリメチン系色素（シアニン色素、メロシアニン色素、スクワリリウム色素など）、アントラキノン系色素、アズレニウム系色素、含金属アゾ系色素、含金属インドアニリン系色素などが挙げられる。特に含金属アゾ系色素は、耐久性及び耐光性に優れているため好ましい。
【００５５】
有機色素により記録層を形成する場合、記録層は、通常、有機色素を適当な溶媒に溶解した溶液をスピンコート、スプレーコート、ディップコート、ロールコート等の塗布方法で塗布することにより形成される。この際、溶媒としては、通常、ジアセトンアルコール、３−ヒドロキシ−３−メチル−２−ブタノン等のケトンアルコール溶媒；メチルセロソルブ、エチルセロソルブ等のセロソルブ溶媒；テトロフルオロプロパノール、オクタフルオロペンタノール等のパーフルオロアルキルアルコール溶媒；乳酸メチル、イソ酪酸メチル等のヒドロキシエチル溶媒などが使用される。
【００５６】
記録層の厚さは、記録方法等により適した膜厚が異なるため、特に限定されないが、十分な変調度を得るために、通常５ｎｍ以上、好ましくは１０ｎｍ以上、特に好ましくは２０ｎｍ以上である。但し、光を透過させる必要があるため、通常３μｍ以下、好ましくは１μｍ以下、より好ましくは２００ｎｍ以下である。
【００５７】
（追記型の媒体の例２）
追記型の媒体で膜面入射型の媒体における他の具体例においては、記録再生機能層は、通常、基板上に設けられた、反射層、誘電体層、記録層、及び誘電体層を指す。
【００５８】
反射層の材料としては、通常、Ａｌ、Ａｇ、Ａｕ等の金属又は合金が用いられる。反射層の形成方法は、再生専用の媒体と同様とすればよい。
【００５９】
誘電体層の材料としては、通常、無機材料（代表的には、ＺｎＳ／ＳｉＯ2やＧｅＣｒＮ）が用いられる。誘電体層の膜厚は、０．５ｎｍ〜５０ｎｍとする。誘電体層は、必要に応じて、異なる無機材料を複数層積層して形成してもよい（例えば、ＺｎＳ／ＳｉＯ2層及びＧｅＣｒＮ層の積層構造としてもよい）。誘電体層は、通常、スパッタリング法によって形成される。
【００６０】
記録層は、通常、無機材料（例えば、Ｇｅ・Ｔｅ、Ｇｅ・Ｓｂ・Ｔｅの様なカルコゲン系合金）が用いられる。記録層の膜厚は、通常１ｎｍ〜５０ｎｍ程度とされる。記録層は、通常、スパッタリング法によって形成される。
【００６１】
（書き換え可能型の媒体の例１）
書き換え可能型の媒体で膜面入射型の媒体においては、記録再生機能層は、通常、基板上に設けられた、反射層、誘電体層、記録層、及び誘電体層を指す。
【００６２】
反射層、誘電体層、及び記録層としては、上記追記型の媒体の例２と同様にすればよい。但し、記録層は、記録・消去を可逆的に行なえるような材料とする必要がある。このような材料としては、例えば、ＳｂＴｅ系、ＧｅＴｅ系、ＧｅＳｂＴｅ系、ＩｎＳｂＴｅ系、ＡｇＳｂＴｅ系、ＡｇＩｎＳｂＴｅ系、ＧｅＳｂ系、ＧｅＳｂＳｎ系、ＩｎＧｅＳｂＴｅ系、ＩｎＧｅＳｂＳｎＴｅ系等の材料が挙げられる。これらの中でも、結晶化速度を高めるために、記録層にＳｂを主成分とする組成を用いることが好ましい。
【００６３】
（書き換え可能型の媒体の例２）
書き換え可能型の媒体としての他の具体例として、光磁気記録媒体（ＭＯディスク）を挙げることもができる。
【００６４】
（共通事項：記録再生領域）
記録再生機能層４には、記録再生領域が設定されている。記録再生領域は、通常、記録再生機能層４の内径よりも大きい内径と、記録再生機能層４の外径よりも小さい外径と、の領域に設けられる。
【００６５】
〔３．紫外線硬化性樹脂の膜（中間層）〕
次いで、図１（ａ）に示すように、上述の記録再生機能層４上に、紫外線硬化性樹脂の膜５を形成する。紫外線硬化性樹脂の膜５は、記録再生機能層４に接して設けられ、通常、基板１の外径と略同一の外径と、記録再生機能層４の内径以上の内径とを有し、平面円環形状を有している。そして、円環形状の樹脂スタンパ６を載置した状態で、この紫外線硬化性樹脂の膜５を硬化させた後に、円環形状の樹脂スタンパ６を剥離することによって、図１（ｂ）に示すように、中間層９が形成される。
【００６６】
紫外線硬化性樹脂の膜５の材料としては、紫外線硬化性樹脂が用いられる。このような紫外線硬化性樹脂は、光ディスクの記録再生に用いる波長４０５ｎｍ付近の青色レーザー光に対して十分に透明性が高いため、中間層９に用いるのに適している。なお、紫外線硬化性樹脂は、硬化後の媒体のそりを抑制するために、低収縮率であることが望ましい。
【００６７】
紫外線硬化性樹脂としては、例えば、ラジカル重合型のアクリル酸エステル系の樹脂やカチオン重合型のエポキシ系の樹脂が好ましく用いられる。
【００６８】
ラジカル系紫外線硬化性樹脂としては、紫外線硬化性化合物（光重合性モノマー）及び光重合開始剤を必須成分として含む組成物が用いられる。そして、紫外線照射によって紫外線硬化性化合物が硬化することにより、紫外線硬化性樹脂の膜５が形成される。
【００６９】
ラジカル系紫外線硬化性樹脂の例としては、不飽和ポリエステル、ウレタンアクリレート、エポキシアクリレート、オリゴエステルアクリレート、ポリエーテルアクリレート等の各種アクリレートが挙げられる。
【００７０】
中でも、紫外線硬化性化合物としては、アクリル酸エステルが一般的である。より具体的には、単官能（メタ）アクリレート及び多官能（メタ）アクリレートを重合性モノマー成分とする場合を挙げることができる。これらは、各々、単独又は２種類以上併用して用いることができる。なお、本明細書においては、アクリレートとメタアクリレートとを併せて「（メタ）アクリレート」と称するものとする。
【００７１】
ラジカル重合型の光重合開始剤としては、光開裂型又は水素引き抜き型のものが好ましい。ラジカル重合型光重合開始剤の主な具体例としては、芳香族カルボニル化合物が挙げられる。紫外線硬化性樹脂に対するラジカル重合型光重合開始剤の使用量は、通常０．１重量％以上、１０重量％以下が好ましい。
【００７２】
一方、カチオン系紫外線硬化性樹脂としては、例えば、カチオン重合型の光重合開始剤を含むエポキシ樹脂が挙げられる。
エポキシ樹脂としては、例えば、ビスフェノールＡ−エピクロールヒドリン型、脂環式エポキシ、長鎖脂肪族型、臭素化エポキシ樹脂、グリシジルエステル型、グリシジルエーテル型、複素環式系等が挙げられる。
中でも、エポキシ樹脂としては、遊離した塩素及び塩素イオン含有率が少ないものを用いるのが好ましい。具体的に、塩素の量は１重量％以下が好ましく、０．５重量％以下がより好ましい。
【００７３】
カチオン重合型の光重合開始剤としては、スルホニウム塩、ヨードニウム塩、ジアゾニウム塩等が挙げられる。紫外線硬化性樹脂に対するカチオン重合型光重合開始剤の使用量は、通常０．１重量％以上、１０重量％以下が好ましい。
【００７４】
一般に、紫外線硬化性樹脂材料は、樹脂の骨格となる樹脂主成分であるオリゴマー、反応性希釈剤であるモノマー、開始剤、添加剤等の混合物からなる。
【００７５】
中間層９には、硬度が大きい、硬化収縮が小さい、記録媒体の記録再生波長領域における光透過率が高い、経時変化が少ない、等の特性が求められる。
【００７６】
硬度を大きくするには、オリゴマーそのものの分子構造を工夫したり、立体的に架橋するように、２官能、３官能又はそれ以上の反応基を持つモノマーを用いたりする。この多官能モノマー成分は、多すぎると、硬化収縮が大きくなる。これを防ぐために、オリゴマーの構造を工夫したり、各モノマーの組成を調整してバランスをとる。
【００７７】
記録再生波長領域の光に対する光透過率は、オリゴマーの骨格、光重合開始剤の種類、量に依存する。このため、上記光透過率を制御するために、これらの設計を工夫すればよい。
【００７８】
経時変化は、未硬化成分の揮発、分解による腐食成分の発生等によりもたらされる事が多い。このため、経時変化を抑制するためには、混合物の組成、特に重合開始剤の種類、量を工夫する。但し、この重合開始剤は、樹脂の架橋に組み込まれないので、徐々に揮発（溶出）することがある。このため、上記重合開始剤は、必要最低限の量に止めるべきである。
【００７９】
紫外線硬化性樹脂の膜５を形成するための組成物の粘度（室温（２５±５℃）での粘度）は、通常３０ｍＰａ・ｓ以上、好ましくは１００ｍＰａ・ｓ以上、より好ましくは５００ｍＰａ・ｓ以上、更に好ましくは１０００ｍＰａ・ｓ以上とする。組成物の粘度を上記範囲とすれば、所定の膜厚を有する紫外線硬化性樹脂の膜５（中間層９）を得やすくなる。一方、組成物の粘度（室温（２５±５℃）での粘度）は、通常５０００ｍＰａ・ｓ以下、好ましくは４０００ｍＰａ・ｓ以下とする。組成物の粘度を上記範囲とすれば、回転延伸の時間を所定範囲内に制御することができるため、作業性が良好となる。加えて、組成物の粘度を上記範囲とすれば、一般的に、温度による粘度変化も抑制しやすくなるので、実用上好ましい。
【００８０】
上述の紫外線硬化性樹脂の膜５に、樹脂スタンパ６を用いてプリピットや溝形状を形成し、中間層９を作製する。その手順は以下の通りである。
【００８１】
即ち、紫外線硬化性樹脂の膜５を形成するための組成物（液体状）を基板１上にスピンコートして、紫外線硬化性樹脂の膜５を形成した後、図１（ａ）に示すように、紫外線硬化性樹脂の膜５の上に環形状の樹脂スタンパ６を載置し、紫外線を照射することによって紫外線硬化性樹脂を硬化させる。
【００８２】
ここで、紫外線は、環形状の樹脂スタンパ６の上方より照射されるのが通常である。このため、円形状の樹脂スタンパ６は、紫外線が透過可能な程度に薄くすることが好ましい。また、樹脂スタンパ６は、例えば非晶質ポリオレフィンなどのプラスチック等の透明な材料で形成されることが好ましい。ここで、「透明」という場合、記録又は再生するための光を透過して良好な記録又は再生が行なえる程度の透明度をいう。具体的には、「透明」という場合、測定する波長に対する透過率が、通常５０％以上、好ましくは７０％以上、より好ましくは８０％以上、特に好ましくは９０％以上となることをいう。「透明」という場合、理想的には、測定する波長に対する透過率が１００％となることである。
【００８３】
以下、中間層９の形成方法について、より具体的に説明する。
まず、基板１上に設けられた記録再生機能層４の上に、紫外線硬化性樹脂の膜５を形成する。紫外線硬化性樹脂の膜の形成方法は特に制限されないが、スピンコート法を用いることが好ましい。
【００８４】
図３は、紫外線硬化性樹脂の膜５をスピンコート法により形成する方法を説明する図である。なお、図３において、図１，２と同一の構成要素については、同一の符号を用いて表わしている。図３に示すように、まず、記録再生機能層４が設けられた基板１をスピナーヘッドＳＨの上に載置して、真空吸引により固定する。次いで、基板１のセンターホール２に、傘型形状の円形のマスクＭを挿入することにより、基板１の中心部にマスクＭを設置する。次に、吐出ノズルＮからこのマスクＭ上に、紫外線硬化性樹脂の膜５を形成するための組成物１２を供給する。その後、スピナーヘッドＳＨを高速回転することにより、基板１上に均一な塗布膜（紫外線硬化性樹脂の膜５）を、記録再生機能層４を被覆するように形成する。
【００８５】
ここで、紫外線硬化性樹脂の膜５の膜厚は、通常１０μｍ以上、好ましくは２０μｍ以上とする。一方、紫外線硬化性樹脂の膜５の膜厚は、通常１００μｍ以下、好ましくは５０μｍ以下、より好ましくは３０μｍ以下とする。最も好ましくは、紫外線硬化性樹脂の膜５の膜厚を２５μｍ程度とする。
その後、マスクＭを除去する。
【００８６】
次に、環形状の樹脂スタンパ６の載置について説明する。
樹脂スタンパ６は環形状を有し、その中央には、基板１のセンターホール２の直径と略同一の直径のセンターホール７が形成されている。そして、樹脂スタンパ６には、基板１の凸部３に対応する半径位置に、基板１の凸部３の高さ以上の深さを有し、且つ、基板１の凸部３の幅よりも広い幅を有する、環形状の凹部８が設けられている。
【００８７】
樹脂スタンパ６の厚さは、通常５ｍｍ以下、好ましくは２ｍｍ以下、より好ましくは１．５ｍｍ以下、更に好ましくは１．２ｍｍ以下、更に好ましくは１ｍｍ以下、特に好ましくは０．６ｍｍ以下とする。上記範囲内とすれば、紫外線の透過率を確保することができる。また、樹脂スタンパ６は使い捨てにされる場合があるために、上記膜厚の範囲とすれば、樹脂スタンパ６の材料費を抑制することもできる。特に、樹脂スタンパ６の膜厚を２ｍｍ以下とすれば、紫外線の透過率をより高くしやすくなる。
【００８８】
樹脂スタンパ６に上記凹部８を形成すると、上記凹部８の部分に対応する樹脂スタンパ６（図４（ｂ）の符号６ａで示す部分。これを以下「凹部スタンパ」という。）の厚さは薄くなる。この場合、この凹部スタンパ６ａにおける機械的な強度が弱くなるので、基板１の凸部３との嵌合の際に、凹部スタンパ６ａが反りやすくなる等の傾向が発生する。この傾向は、樹脂スタンパ６の厚さが２ｍｍ以下と薄くなると、より現れやすくなる。
【００８９】
上記傾向を抑制するために、本発明においては、凹部８の形状を以下のように制御する。つまり、樹脂スタンパ６の凹部８の深さを、基板１の凸部３の高さ以上の値とする。更に、基板１の凸部３の幅よりも、凹部８の幅を広くする。凹部８を上記のような形状とすることにより、基板１の凸部３との嵌合を良好に行なうことができるようになる。
【００９０】
具体的に、樹脂スタンパ６の凹部８の深さの下限値は、対応する凸部３の高さと同じかそれよりも大きい値に設定される。一方、樹脂スタンパ６の凹部８の深さは、通常６００μｍ（０．６ｍｍ）以下、好ましくは４５０μｍ以下、より好ましくは３５０μｍ以下、より好ましくは３００μｍ以下、より好ましくは２５０μｍ以下、更に好ましくは２００μｍ以下、特に好ましくは１５０μｍ以下、最も好ましくは１２０μｍ以下とする。この範囲とすれば、樹脂スタンパ６と基板１との嵌合を良好に行ないやすくなる上、射出成形での基板の作製が容易となりやすい。
【００９１】
樹脂スタンパ６の凹部８の幅は、対応する凸部３の幅よりも広く設定される。一方、樹脂スタンパ６の凹部８の幅は、通常１１ｍｍ以下、好ましくは７ｍｍ以下、より好ましくは６ｍｍ以下、より好ましくは５ｍｍ以下、特に好ましくは４ｍｍ以下、最も好ましくは３．５ｍｍ以下とする。この範囲とすれば、樹脂スタンパ６と基板１との嵌合を良好に行ないやすくなる。更に、この範囲とすれば、内周クランピング領域を基板１上に設ける場合に、基板１上の凸部３に対応して凹部８を設けることができるようになる。
【００９２】
基板１上に凸部３を設ける位置に対応して、樹脂スタンパ６に凹部８が設けられる。例えば、凸部３が、基板１上の直径１８〜２１ｍｍの位置に設けられている場合には、凹部８は、樹脂スタンパ６上の直径１７．９５〜２１．０５ｍｍの位置に設けられる。
【００９３】
基板１の凸部３と樹脂スタンパ６の凹部８との嵌合を良好に行なうために、基板１の凸部（凸部３）の高さと樹脂スタンパ６の凹部８の深さとの関係を制御することが好ましい。具体的には、｛（樹脂スタンパ６の凹部８の深さ）／（基板１の凸部３の高さ）｝の値を、通常１より大きく、好ましくは１．０５以上、より好ましくは１．１以上とする。一方、｛（樹脂スタンパ６の凹部８の深さ）／（基板１の凸部３の高さ）｝の値を、通常１．３以下、好ましくは１．２５以下、より好ましくは１．２以下とする。上記範囲とすれば、基板１の凸部３と樹脂スタンパ６の凹部８との嵌合が良好に行なわれる一方で、凹部スタンパ６ａの厚さも十分に確保することができるようになる。
【００９４】
また、基板１の凸部３と樹脂スタンパ６の凹部８との嵌合を良好に行なうために、基板１の凸部３の幅と樹脂スタンパ６の凹部８の幅との関係を制御することが好ましい。具体的には、｛（樹脂スタンパ６の凹部８の幅）／（基板１の凸部３の幅）｝の値を、通常１より大きく、好ましくは１．０１以上、より好ましくは１．０２以上とする。一方、｛（樹脂スタンパ６の凹部８の幅）／（基板１の凸部３の幅）｝の値を、通常１．５以下、好ましくは１．２以下、より好ましくは１．１以下、更に好ましくは１．０５以下とする。上記範囲とすれば、基板１の凸部３と樹脂スタンパ６の凹部８との嵌合が良好に行なわれるようになる。
【００９５】
より具体的には、｛（樹脂スタンパ６の凹部８の幅）−（基板１の凸部３の幅）｝の値を、通常５０μｍ以上、好ましくは６０μｍ以上、より好ましくは８０μｍ以上とする。一方、｛（樹脂スタンパ６の凹部８の幅）−（基板１の凸部３の幅）｝の値を、通常２００μｍ以下、好ましくは１５０μｍ以下、より好ましくは１００μｍ以下とする。上記範囲とすれば、基板１の凸部３と樹脂スタンパ６の凹部８との嵌合が良好に行なわれるようになる。
【００９６】
更に、基板１の凸部３と樹脂スタンパ６の凹部８との嵌合を良好に行なうために、基板１の内径から凸部３の内径までの長さ（図１（ａ）では長さα）と、樹脂スタンパ６の内径から凹部８の内径までの長さ（図１（ａ）では長さα’）との関係を制御することが好ましい。
【００９７】
具体的には、｛（樹脂スタンパ６の内径から凹部８の内径までの長さ）／（基板１の内径から凸部３の内径までの長さ）｝の値を、通常０．９９４以上、好ましくは０．９９４５以上、より好ましくは０．９９５以上とする。一方、｛（樹脂スタンパ６の内径から凹部８の内径までの長さ）／（基板１の内径から凸部３の内径までの長さ）｝の値を、通常０．９９８以下、好ましくは０．９９７５以下、より好ましくは０．９９７以下とする。上記範囲とすれば、基板１の凸部３と樹脂スタンパ６の凹部８との嵌合が良好に行なわれるようになる。また、樹脂スタンパ６と基板１との位置合わせ（詳細は後述する。）も良好に行なわれやすくなる。
【００９８】
より具体的には、｛（基板１の内径から凸部３の内径までの長さ）−（樹脂スタンパ６の内径から凹部８の内径までの長さ）｝の値を、通常１０μｍ以上、好ましくは２０μｍ以上、より好ましくは４０μｍ以上とする。一方、｛（基板１の内径から凸部３の内径までの長さ）−（樹脂スタンパ６の内径から凹部８の内径までの長さ）｝の値を、通常１００μｍ以下、好ましくは７５μｍ以下、より好ましくは５０μｍ以下とする。上記範囲とすれば、基板１の凸部３と樹脂スタンパ６の凹部８との嵌合が良好に行なわれるようになる。
【００９９】
なお、基板上に設ける凸部３の高さにもよるが、樹脂スタンパ６の成型時の反りや変形を抑制する観点から、凹部スタンパ６ａの厚さ（図１では長さβ’）と樹脂スタンパ６の厚さ（図１では長さβ）との関係を制御することも重要である。具体的には、｛（凹部スタンパ６ａの厚さ）／（樹脂スタンパ６の厚さ）｝の値を、通常０．５以上、好ましくは０．５５以上、より好ましくは０．５８以上とする。一方、｛（凹部スタンパ６ａの厚さ）／（樹脂スタンパ６の厚さ）｝の値を、通常０．８以下、好ましくは０．７５以下、より好ましくは０．６以下とする。上記範囲とすれば、樹脂スタンパ６の成型性を良好にしやすい。
【０１００】
より具体的には、｛（樹脂スタンパ６の厚さ）−（凹部スタンパ６ａの厚さ）｝の値を、通常０．３５ｍｍ以上、好ましくは０．３８ｍｍ以上、より好ましくは０．４ｍｍ以上とする。一方、｛（樹脂スタンパ６の厚さ）−（凹部スタンパ６ａの厚さ）｝の値を、通常０．６ｍｍ以下、好ましくは０．５５ｍｍ以下、より好ましくは０．５ｍｍ以下とする。上記範囲とすれば、樹脂スタンパ６の成型性を良好にしやすい。
【０１０１】
なお、凹部スタンパ６ａの厚さは、樹脂スタンパ６の厚さと樹脂スタンパ６の凹部８の深さとに依存する。但し、樹脂スタンパ６の反りやゆがみを抑制する観点から、凹部スタンパ６ａの厚さは、通常０．３５ｍｍ以上とする。
【０１０２】
また、樹脂スタンパ６の反りやゆがみに加えて成形のしやすさを考慮すると、凹部スタンパ６ａの厚さは、より具体的には以下の通りとする。例えば、樹脂スタンパ６の厚さが０．６ｍｍであるときは、凹部スタンパ６ａの厚さは通常０．３５ｍｍ以上とすることが好ましい。例えば、樹脂スタンパ６の厚さが１ｍｍであるときは、凹部スタンパ６ａの厚さは通常０．５ｍｍ以上とすることが好ましい。例えば、樹脂スタンパ６の厚さが２ｍｍであるときは、凹部スタンパ６ａの厚さは通常１ｍｍ以上とすることが好ましい。
【０１０３】
一方、凹部スタンパ６ａの厚さの上限は、樹脂スタンパ６の凹部８の深さによって必然的に決まることとなる。
【０１０４】
樹脂スタンパ６を構成する樹脂としては、一般に、非晶質ポリオレフィン系樹脂が用いられる。具体的には、例えば、ガラス転移点が２００℃以下で、成形条件での流動性が高い非晶質ポリオレフィン樹脂が好ましい。また、樹脂スタンパ６を透過した光によって、紫外線硬化性樹脂の膜５が硬化する必要があるため、硬化に用いる光の波長領域の光に対して透過性が高いことが好ましい。このような非晶質ポリオレフィン系樹脂として、ゼオノア（日本ゼオン社製）、ゼオネックス（日本ゼオン社製）、アペル（三井化学社製）、ＡＰＯ（三井化学社製）、アートン（ＪＳＲ社製）等が挙げられる。樹脂スタンパ６は、これらの樹脂を原料として、エッチング等により必要な形状とした金属やガラスからなるマスタースタンパを型として用い、成形することにより作製することができる。成形温度は、上記のようにガラス転移温度が低い樹脂を用いて、型の温度を低く設定して成形し、成形の精度（微細な凹部の忠実性）を向上させることが望ましい。
【０１０５】
樹脂スタンパ６の載置は、基板１のセンターホール２及び樹脂スタンパ６のセンターホール７によって基板１と樹脂スタンパ６との位置調整を行ないつつ、樹脂スタンパ６の凹部８と基板１の凸部３とを嵌合させることによって行なわれる。本発明においては、基板１のセンターホール２、樹脂スタンパ６のセンターホール７、樹脂スタンパ６の凹部８、及び基板１の凸部３によって基板１と樹脂スタンパ６との位置調整を行なうことができる結果、基板１と樹脂スタンパ６との位置制御をより精密に行ないやすくなる。
【０１０６】
具体的には、上記位置合わせは、基板１及び樹脂スタンパ６のそれぞれのセンターホール２，７に、センターホール２，７の直径と略同一の直径を有するセンターピンを貫通させながら、基板１の凸部３と樹脂スタンパ６の凹部８とを嵌合させる。このように位置合わせを行なうと、センターホール２，７と凸部３及び凹部８との両方によって、基板１と樹脂スタンパ６との位置調整が行なわれるようになる。この結果、紫外線硬化性樹脂の膜５上に形成される溝形状の偏心を小さくすることができる。
【０１０７】
より具体的には、センターピンを樹脂スタンパ６と基板１とのセンターホール２，７を貫通させつつ、樹脂スタンパ６と基板１とを対向配置させることによって、第１の記録再生機能層４の溝ピットのトラックの中心と、これから設ける第２の記録再生機能層１０の溝ピットのトラックの中心との距離（すなわち偏心）が、数十μｍ以内となるように配置する。そして、基板１の凸部３と樹脂スタンパ６の凹部８とを嵌合させる。これによって、偏心が更に小さくなる傾向となる。
【０１０８】
なお、基板１及び樹脂スタンパ６のセンターホール２，７の直径は、例えば１５ｍｍ程度とすればよい。
【０１０９】
図４（ａ），（ｂ）は、本発明の一実施形態に係る光記録媒体の製造方法に用いられる樹脂スタンパ６、特に、図２（ａ）に示す環形状の凸部（突起部）３を設けた基板１を用いる場合に好適な、環形状の樹脂スタンパ６の例を示す模式図である。具体的に、図４（ａ）は、樹脂スタンパ６の下方斜視図であり、図４（ｂ）は、図４（ａ）の矢印Ａ及び矢印Ａ’を結ぶ線分における樹脂スタンパ６の断面図である。図４（ａ）では、円盤状の樹脂スタンパ６が示されているが、樹脂スタンパ６の外径は必ずしも円盤状になっている必要はなく、例えば、正多角形の形状や楕円形状となっていてもよい。なお、樹脂スタンパ６の表面には、紫外線硬化性樹脂の膜５に転写するための溝ピット形状が形成されているが、図４では図示を省略している。
【０１１０】
樹脂スタンパ６は、基板１のセンターホール２の直径と略同一の直径のセンターホール７を有する。そして、樹脂スタンパ６の基板１側表面（紫外線硬化性樹脂の膜５と接する側の表面）には、基板１上に設けられた環形状の凸部３（図２参照）と嵌合するように、上記環形状の凸部３に対応する半径位置に凹部８が設けられている。
【０１１１】
次に、樹脂スタンパ６を紫外線硬化性樹脂の膜５の上に載置した状態で、通常は、樹脂スタンパ６の上方より紫外線を照射して、紫外線硬化性樹脂の膜５を硬化させる。そして、樹脂スタンパ６を剥離すれば、紫外線硬化性樹脂の膜５の表面に、第２の記録再生機能層（詳細は後述）用の溝ピット形状が形成された中間層９が形成される。
【０１１２】
〔４．第２の記録再生機能層等の形成〕
その後、図１（ｂ）に示すように、硬化して溝ピット形状が形成された中間層９の上に、第２の記録再生機能層１０を形成する。当然、その上に紫外線硬化性樹脂の膜を形成し、樹脂スタンパ６を載置してこれを硬化させる、という作業を繰り返し行なうことにより、第２の中間層、第３の記録再生機能層、第３の中間層、第４の記録再生機能層、第４の中間層、第５の記録再生機能層・・・という層構成を実現することが可能となる。但し、現実的には、記録再生機能層の積層数は１０層が上限となる。なお、第２の記録再生機能層、第３の記録再生機能層、第４の記録再生機能層、第５の記録再生機能層・・・の層構成・材料としては、上記第１の記録再生機能層４と同様の層構成・材料を用いればよい。また、第２の中間層、第３の中間層、第４の中間層・・・を形成する場合における、紫外線硬化性樹脂の膜の材料や作製手順、樹脂スタンパの構造、紫外線照射による硬化の手順などの詳細も、上に説明したものと同様である。
【０１１３】
〔５．保護層等の形成〕
必要な層数の記録再生機能層を設けた後（図１では、２層の記録再生機能層４，１０を設けた後）、図１（ｃ）に示すように、最上層の記録再生機能層（図１（ｃ）では、第２の記録再生機能層１０）の上面に、保護層１１を形成する。保護層の材料や形成手順は特に制限されないが、通常は中間層９とほぼ同等の材料を用い、また、樹脂スタンパを載置しないことを除けば同様の手順により、形成することが可能である。即ち、最上層の記録再生機能層１０の上に紫外線硬化樹脂の膜をスピンコート法等の手法により形成し、これに紫外線を照射して硬化させればよい。保護層１１の厚さは特に制限されないが、例えば８０μｍ程度の略均一な厚みに形成する。
【０１１４】
なお、上記の保護層１１を最外層としてもよいが、必要に応じて、保護層１１の上面に更に、表面固さや撥水性を付与するためのハードコート層等を、スピンコート法等の手法により設け、これを最外層としてもよい。
【０１１５】
〔６．その他〕
以上、本発明について一実施の形態を挙げて説明したが、本発明は上述の実施の形態に制限されるものではなく、本発明の趣旨を逸脱しない範囲において、適宜変更を加えて実施することが可能である。
【０１１６】
例えば、光記録媒体の層構成は、上記の実施形態の構成に制限されない。本発明の趣旨を逸脱しない範囲において、積層の順序が異なっていてもよく、別の層が追加されていてもよく、二以上の層が一体に設けられていてもよい。
【産業上の利用可能性】
【０１１７】
本発明の光記録媒体の製造方法は、ＣＤ、ＤＶＤ、ＢＤ等の各種の光記録媒体の分野において、好適に使用することができる。
【図面の簡単な説明】
【０１１８】
【図１】（ａ）〜（ｃ）は何れも、本発明の一実施の形態に係る光記録媒体の製造方法の概要を説明するための図である。
【図２】（ａ）〜（ｃ）は何れも、基板の表面に設けられる凸部の具体例を示す図である。
【図３】紫外線硬化性樹脂の膜をスピンコート法により形成する方法を説明する図である。
【図４】（ａ），（ｂ）は何れも、本発明の一実施形態に係る光記録媒体の製造方法に用いられる樹脂スタンパの具体例を示す図であり、（ａ）は樹脂スタンパの下方斜視図、（ｂ）は（ａ）の矢印Ａ及び矢印Ａ’を結ぶ線分における樹脂スタンパの断面図である。
【図５】従来技術に係る光記録媒体の製造方法を説明するための図である。
【図６】別の従来技術に係る光記録媒体の製造方法を説明するための図である。
【符号の説明】
【０１１９】
１，１００  基板
２，２００  （基板の）センターホール
３，３００  突起部（凸部）
３’，３”  凸部
４，４００  （第１の）記録再生機能層
５，５００  紫外線硬化性樹脂の膜
６，６００，６００’  樹脂スタンパ
７，７００，７００’  （樹脂スタンパの）センターホール
８  凹部
９  中間層
１０  （第２の）記録再生機能層
１１  カバー層
ＣＰ，ＣＰ’  センターピン
Ｍ  マスク
Ｎ  吐出ノズル
ＳＨ  スピナーヘッド
【図１】
2007042212.tif 000003
【図２】
2007042212.tif 000004
【図３】
2007042212.tif 000005
【図４】
2007042212.tif 000006
【図５】
2007042212.tif 000007
【図６】
2007042212.tif 000008